(57)【要約】【課題】集塵フィルタを用いることなく、ディスク装置本体内部の空冷及び防塵をすることができるディスク装置を提供する。【解決手段】ディスク７の情報を再生し又は記録する光ピックアップ２４を筐体に収容するディスク装置において、ディスク７及び発熱源となる光ピックアップ２４を隔離して防塵する防塵空間を形成しており、筐体を仕切る機構ベース１６と、筐体を貫通して空気が流通可能になっており、機構ベース１６を空冷する空冷筒３５ａ、３５ｂとを有し、空冷筒３５ａ、３５ｂの一端部及び他端部のいずれか、又は両方に、温度変化に伴い変形して空冷筒３５ａ、３５ｂを開閉する開閉板３６ａ、３６ｂを有する。【選択図】図２
2010055662.tif 000002
【特許請求の範囲】
【請求項１】
ディスクに記録された情報を再生し又は情報を記録する光ピックアップを筐体内に備えるディスク装置において、
前記筐体を仕切っており、前記ディスク及び光ピックアップを防塵する防塵空間を前記筐体内に形成する仕切体と、
前記筐体を貫通して空気が流通可能になっており、前記仕切体を空冷する空冷筒と
を有することを特徴とするディスク装置。
【請求項２】
前記空冷筒の端部に、温度変化に伴い変形して該空冷筒の開度を変える開度可変部を有することを特徴とする請求項１に記載のディスク装置。
【請求項３】
前記空冷筒は前記仕切体と一体的に形成されていることを特徴とする請求項１又は２に記載のディスク装置。
【請求項４】
前記仕切体及び空冷筒のいずれか、又は両方は、該空冷筒を前記防塵空間に連通させる多数の微細孔を有することを特徴とする請求項１から３までのいずれか一つに記載のディスク装置。
【請求項５】
前記空冷筒は多数の微細孔を周面に有することを特徴とする請求項１から４までのいずれか一つに記載のディスク装置。
【請求項６】
前記仕切体及び空冷筒は前記筐体よりも熱伝導率が高い部材からなることを特徴とする請求項１から５までのいずれか一つに記載のディスク装置。
【請求項７】
前記防塵空間内に発熱源を有し、
前記空冷筒は、前記発熱源の近傍で、該空冷筒の端部よりも細く形成されていることを特徴とする請求項１から６のいずれか一つに記載のディスク装置。
【請求項８】
前記空冷筒の内面に放熱フィンが形成されていることを特徴とする請求項１から７のいずれか一つに記載のディスク装置。
【請求項９】
前記開度可変部は、バイメタル又は形状記憶合金の温度依存性により開度が可変になっていることを特徴とする請求項２から８までのいずれか一つに記載のディスク装置。
【請求項１０】
前記開度可変部は温度変化により前記空冷筒の外側又は内側に変形するようにしてあることを特徴とする請求項２から９までのいずれか一つに記載のディスク装置。
【請求項１１】
前記開度可変部は、
前記空冷筒の端部を閉塞する板状をなしており、温度上昇に伴い湾曲変形する変形部と、
該変形部の一部から前記空冷筒の側部側に突出しており、前記空冷筒の端部近傍に着接された着接部と
を有することを特徴とする請求項２から１０までのいずれか一つに記載のディスク装置。
【請求項１２】
ケースと、該ケース内の排気をする排気ファンと、請求項１から１１のいずれか一つに記載のディスク装置とを備える録画再生装置であって、
前記排気ファンの排気により前記空冷筒を負圧にしていることを特徴とする録画再生装置。
【発明の詳細な説明】
【技術分野】
【０００１】
本発明は、ディスクの情報を再生し又は記録するディスク装置及び該ディスク装置を備える録画再生装置に関する。
【背景技術】
【０００２】
従来、円盤状の記録媒体であるディスクに情報を記録し又は再生するディスク装置が利用されている。情報の記録再生にレーザ光を利用する光ディスク装置では、ターンテーブルにチャッキングされた光ディスクを回転させるスピンドルモータと、光ディスクの記録面にレーザ光を集光し、光ディスクの任意のトラックへ水平移動する光ピックアップとを備える。光ピックアップは、対物レンズを上下左右に動かし、光スポットを常に光ディスクの所望の位置に集光するアクチュエータを有する。
【０００３】
近年、光ディスクの記録密度は急速に上がっており、高速記録も益々進んでいる。そのため、光ピックアップの光源である半導体レーザは、よりハイパワーで制御する必要性が生じている。
半導体レーザを駆動する駆動ＬＳＩは、微細化した光スポットで光ディスクの記録／未記録エッジの急峻な反射光量を作り、記録時に１ナノ秒程度以内で高速にレーザパワーを切り換えるライトストラテジ制御をしている。
【０００４】
このような高速スイッチング制御をする駆動ＬＳＩは、浮遊容量の影響を極力避けるために、半導体レーザの近傍に配置する必要があるが、半導体レーザを駆動する駆動ＬＳＩは発熱し、近傍のレーザステムの温度を上昇させる。
さらに光ディスク装置の熱源として、回路基板に実装されている高速処理用のデジタル又はアナログＬＳＩがあり、筐体内部の雰囲気の温度を一層上昇させる。
【０００５】
一般に半導体レーザは高温に弱く、常温の雰囲気と６０℃の高温雰囲気とでは数倍の寿命差がある。光ディスク装置のレーザパワーが再生時のローパワーの場合、半導体レーザの寿命には殆ど影響しないが、記録時のハイパワーと再生時のローパワーとでは、数倍以上の寿命差がある。
【０００６】
また微細な光スポットになるほど光ディスクに付着した塵埃は、光ディスク装置の記録及び再生に悪影響を与え、データの信頼性が損なわれる。
【０００７】
この種の光ディスク装置として以下の提案がある。
特許文献１に示す例では、ダクトを介してファンを設けた光ディスク装置内に空気循環通路を形成し、集塵フィルタを通る空気を循環させて、塵埃を最小限に抑えて空冷している。
【０００８】
また特許文献２に示す例では、光ディスク装置内部を仕切板により密閉化された光ピックアップ及びスピンドルモータ等のメカ部と、メカ部を駆動する回路部とに分けている。
さらに特許文献２では、光ディスク装置の後部にファンを設け、装置の前部に空気取り入れ用の穴を設けており、ファンにより空気取り入れ用の穴から回路部側へ空気を流入させて空冷し、仕切板による密閉化で光ピックアップなどのメカ部の防塵を図っている。
【０００９】
また特許文献３に示す例では、光ディスク装置内に開口部から空気を流入させるファンと、光ディスク装置内の温度変化に応じて開口部から流入する風量及び風向きを調整するガイド板とを備えることにより、装置内部の空冷と防塵とを図っている。
【特許文献１】特開平８−１０２１８０号公報
【特許文献２】特開２０００−３４８４８１号公報
【特許文献３】特開２００６−７９７２０号公報
【発明の開示】
【発明が解決しようとする課題】
【００１０】
しかしながら従来の特許文献１に示すような例では、集塵フィルタを通した空気で空冷しているため、集塵フィルタの目詰まりなどが生じた場合、集塵フィルタの交換が必要であり、適当な交換時期が不明な場合が多く、ユーザにとって集塵フィルタの交換は煩雑である。
【００１１】
また特許文献２に示すような例では、ハイパワーで制御される半導体レーザの場合、半導体レーザを備える光ピックアップが密閉化された空間にあるため、半導体レーザの温度上昇を抑えるのが困難であり、半導体レーザの長寿命化を図る上で改善の余地がある。
また特許文献１から３に示す例では、光ディスク装置自体に空冷用のファンを備えており、ファンの動作音が生じるため、静音化を図る上で改善の余地がある。
【００１２】
ところで、防塵のためには密閉構造が望ましいが、密閉構造では空冷ができず、またファンによる空冷の場合、空冷効果は増大するが、塵埃が侵入しやすく、集塵フィルタが必要になるという、空冷及び防塵の相反する機能を満足させるのに適当なものはなく、改善が求められている。
【００１３】
したがって、光ディスク装置では、半導体レーザが長寿命で、集塵フィルタを用いることなく、データの信頼性の高い記録再生動作を実現するためには、光ディスク装置の筐体内部の密閉度を高くして、筐体内部温度を常温近傍にいかに押さえるかが、解決すべき課題になっている。
【００１４】
本発明は、このような事情に鑑みてなされたものであって、その目的とするところは、ディスク及び光ピックアップを防塵する防塵空間を、ディスク装置本体を仕切る仕切体で形成して、仕切体を空冷する構成を備えることにより、集塵フィルタを用いることなく、ディスク装置本体内部の空冷及び防塵をすることができるディスク装置及び録画再生装置を提供することにある。
【課題を解決するための手段】
【００１５】
本発明のディスク装置は、ディスクに記録された情報を再生し又は情報を記録する光ピックアップを筐体内に備えるディスク装置において、前記筐体を仕切っており、前記ディスク及び光ピックアップを防塵する防塵空間を前記筐体内に形成する仕切体と、前記筐体を貫通して空気が流通可能になっており、前記仕切体を空冷する空冷筒とを有することを特徴とする。
【００１６】
このような構成の本発明のディスク装置では、ディスク及び光ピックアップを防塵空間に隔離して防塵する。空冷筒に空気が流入した場合、流入した空気は筐体を仕切る仕切体を冷却し、筐体を仕切る仕切体で形成する防塵空間の温度が下がる。
したがって、本発明のディスク装置では、集塵フィルタを用いることなく筐体を防塵し、筐体内部を空冷する。
【００１７】
本発明のディスク装置は、前記空冷筒の端部に、温度変化に伴い変形して該空冷筒の開度を変える開度可変部を有することを特徴とする。
【００１８】
このような構成の本発明のディスク装置では、防塵空間内の光ピックアップなどの熱が仕切体及び空冷筒に熱伝達して、空冷筒の開度可変部の温度が変化する。開度可変部は温度変化に伴い変形して空冷筒の開度を変え、空冷筒に流入する空気の量が増減する。
例えば開度可変部の温度が高いため、変形して空冷筒の開度が広がる場合、熱伝達により開度可変部の温度が高くなったとき、空冷筒の開度が広くなり、空冷筒に流入する空気の量が増大し、光ピックアップなどの発熱源からの熱伝達による温度に対応して空冷効果が高まる。
【００１９】
本発明のディスク装置は、前記空冷筒は前記仕切体と一体的に形成されていることを特徴とする。
【００２０】
このような構成の本発明のディスク装置では、防塵空間内の光ピックアップなどの熱が空冷筒に速く伝達し、空冷筒の開度可変部の熱的な応答が速くなる。空冷筒に空気が流入した場合、流入した空気が仕切体と一体的な空冷筒の周面を冷却し、仕切体の冷却効果が高まる。
【００２１】
本発明のディスク装置は、前記仕切体及び空冷筒のいずれか、又は両方は、該空冷筒を前記防塵空間に連通させる多数の微細孔を有することを特徴とする。
【００２２】
このような構成の本発明のディスク装置では、空冷筒を連通させる多数の微細孔により防塵空間は不完全な略密閉空間になるが、光ピックアップなどの発熱源が発熱している場合、略密閉空間内の空気圧は陽圧になっているため、塵埃が侵入することが無く、略密閉空間は塵埃が侵入することがない防塵空間になっている。
空冷筒に空気が流入している場合、空冷筒の内部は空気の動圧により負圧になっており、陽圧の防塵空間内の温風が微細孔から負圧の空冷筒に流入する。空気が流入している空冷筒は、防塵空間からの温風の排気及び仕切体の空冷により、防塵空間の温度を効果的に下げる。
【００２３】
本発明のディスク装置は、前記空冷筒は多数の微細孔を周面に有することを特徴とする。
【００２４】
このような構成の本発明のディスク装置では、空冷筒に空気が流入している場合、空冷筒の内部は空気の動圧により負圧になっており、防塵空間内の温風及び外気が微細孔から空冷筒に流入する。空気が流入している空冷筒は、防塵空間からの温風の排気及び仕切体の空冷により、防塵空間を効果的に冷却する。
【００２５】
本発明のディスク装置は、前記仕切体及び空冷筒は前記筐体よりも熱伝導率が高い部材からなることを特徴とする。
【００２６】
このような構成の本発明のディスク装置では、仕切体及び空冷筒は筐体よりも熱伝導率が高いため、防塵空間内の熱伝達効率がよく、発熱源を内部に有する防塵空間を速く冷却する。
【００２７】
本発明のディスク装置は、前記防塵空間内に発熱源を有し、前記空冷筒は、前記発熱源の近傍で、該空冷筒の端部よりも細く形成されていることを特徴とする。
【００２８】
このような構成の本発明のディスク装置では、空冷筒に空気が流入した場合、空冷筒の細い通路で流速が速くなり、空冷効率が高まり、発熱源を有する防塵空間を効果的に冷却する。
【００２９】
本発明のディスク装置は、前記空冷筒の内面に放熱フィンが形成されていることを特徴とする。
【００３０】
このような構成の本発明のディスク装置では、空冷筒に空気が流入した場合、放熱フィンにより、空冷筒を流通する空気への放熱が高くなり、熱伝達効率がよく、空冷効果が増大する。
【００３１】
本発明のディスク装置は、前記開度可変部は、バイメタル又は形状記憶合金の温度依存性により開度が可変になっていることを特徴とする。
【００３２】
このような構成の本発明のディスク装置では、開度可変部がバイメタル及び形状記憶合金の温度依存性により空冷筒の開度を変える。
したがって、本発明のディスク装置では、開度可変部を駆動するモータなどの駆動機構が不要になる。
【００３３】
本発明のディスク装置は、前記開度可変部は温度変化により前記空冷筒の外側又は内側に変形するようにしてあることを特徴とする。
【００３４】
このような構成の本発明のディスク装置では、クリアランスを考慮した使用環境に対応可能になる。
【００３５】
本発明のディスク装置は、前記開度可変部は、前記空冷筒の端部を閉塞する板状をなしており、温度上昇に伴い湾曲変形する変形部と、該変形部の一部から前記空冷筒の側部側に突出しており、前記空冷筒の端部近傍に着接された着接部とを有することを特徴とする。
【００３６】
このような構成の本発明のディスク装置では、例えば常温の場合、開度可変部の変形部が空冷筒の端部を閉塞可能であり、発熱源からの熱伝達による着接部及び変形部の温度上昇に伴い、変形部が湾曲していき、空冷筒の開度が変わる。空冷筒の開度により、空気の流量が増減して防塵空間を効果的に空冷する。
【００３７】
本発明の録画再生装置は、ケースと、該ケース内の排気をする排気ファンと、前述のディスク装置とを備える録画再生装置であって、前記排気ファンの排気により前記空冷筒を負圧にしていることを特徴とする。
【００３８】
このような構成の本発明の録画再生装置では、集塵フィルタを用いることなく、ディスク装置の空冷及び防塵が可能になる。
【発明の効果】
【００３９】
本発明のディスク装置は、ディスク及び光ピックアップを防塵する防塵空間を、ディスク装置本体を仕切る仕切体で形成して、仕切体を空冷しているので、集塵フィルタを用いることなく、ディスク装置本体内部の空冷及び防塵をすることができるという効果を有する。さらにディスク装置本体に空冷用のファンを備えておらず、静音化を図ることが可能である。
本発明の録画再生装置は、排気ファン及び前述のディスク装置を備えているので、集塵フィルタを用いることなく、ディスク装置本体内部の空冷及び防塵をすることができるという効果を有する。
【発明を実施するための最良の形態】
【００４０】
以下、図面に基づき、本発明によるディスク装置及び録画再生装置の好適な実施の形態を説明する。
【００４１】
（実施の形態１）
図１は本発明の実施の形態１に係るディスク装置を収納した録画再生装置を示す斜視図である。
実施の形態１に係るディスク装置は、円盤状の記録媒体であるコンパクトディスク（ＣＤ）、デジタルビデオディスク（ＤＶＤ）及びブルーレイディスク（ＢＤ）等の情報を記録再生可能である。
なお、ディスク装置には、録画再生機能を有するものだけではなく、再生機能のみを有するものも含まれるが、この場合には録画再生装置はＣＤドライブ又はＤＶＤドライブ等の再生装置になる。
【００４２】
録画再生装置１は、扁平な直方体状のケースである筐体２内に、ＢＤ用のディスク装置８と、ハードディスク装置（図示せず）とを収納しており、ディスク装置８は空冷及び防塵構造５０を備えている。
ディスク装置８の空冷及び防塵構造５０では、空冷及び防塵可能な空気の流通路を形成する空冷筒３５ａ、３５ｂと、空冷筒３５ａ、３５ｂの一端部にそれぞれ設けられており、温度によりソリが発生する温度依存性の変形部材である開閉板３６ａ、３６ｂとを備えている。開閉板３６ａ、３６ｂは、温度変形して空冷筒３５ａ、３５ｂの開度を変える開度可変部であり、それぞれの空冷筒３５ａ、３５ｂの空気の流量を調節している。
【００４３】
録画再生装置１の筐体２のフロントパネル４ａの長手方向には矩形状の開口部２ａが形成されており、ディスク装置８の前面部１４が開口部２ａから外部に露出している。筐体２のリアパネル４ｂには排気口３が形成されており、排気口３の周縁に対向して、排気ファン６が筐体２内に設けられている。
排気ファン６は、筐体２内で発生する電源などの熱とともに、ディスク装置８内で発生する熱を排気口３から外部に放出している。
【００４４】
排気ファン６は温度変化に基づいて開閉する開閉板３６ｂの状態により制御されており、排気ファン６を制御するための温度センサ６ａが、開閉板３６ｂの近傍に取り付けられている。
【００４５】
録画再生装置１には、フロントパネル４ａの略中央部に、横並びにディスク切換スイッチ５ａ及びハードディスク切換スイッチ５ｂが設けられている。録画再生装置１では、ＢＤなどのディスク７の情報をハードディスクに記録し、例えばＢＤからＤＶＤに切り換えて、ハードディスクに記録した情報をＤＶＤにダビングできるようになっている。
フロントパネル４ａの一端部近傍には、電源スイッチ５ｃ及びリモートコントロール用の受信部５ｄが設けられている。
【００４６】
図２は実施の形態１に係るディスク装置の内部を示す透視図、図３はディスク装置の筐体構造を示す斜視図、図４はディスク装置内部を示す図２のＩＶ−ＩＶ断面図である。
ディスク装置８はディスク７を保持してディスク装置本体内に移動させるトレイ１２を収容している。ディスク装置８は扁平な直方体状の筐体９を有し、筐体９の前部に開口部１０ａが形成されている。開口部１０ａには矩形枠状のベゼル１０ｂが嵌着されており、ベゼル１０ｂの開口部１０ｃからトレイ１２が出入り可能になっている。
【００４７】
トレイ１２は矩形台状をなしており、長手方向の略中央部に円盤状のディスク７を略水平に載置できるようになっている。
トレイ１２の前面部１３は正面視矩形状をなし、前面部１３にイジェクトボタン１３ａと、インジケータ１３ｂとが設けられている。トレイ１２が筐体９内に収容されている場合、イジェクトボタン１３ａを押したとき、インジケータ１３ｂが点滅し、図示しない駆動機構が作動して筐体９からトレイ１２が外側へ移動し、インジケータ１３ｂが消灯するようになっている。
【００４８】
トレイ１２の前面部１３を筐体９の内側へ押したとき、インジケータ１３ｂが点滅し、駆動機構が逆作動してトレイ１２が筐体９内へ移動して収容され、インジケータ１３ｂが消灯するようになっている。
【００４９】
筐体９の前部側から後部側にわたって、仕切体であるチャンネル状の機構ベース１６が、筐体９を仕切って取り付けられている。機構ベース１６は前部側及び後部側が開放されている。機構ベース１６にはスピンドルモータ１８及びキャリッジ２２等の機構部が設けられており、機構ベース１６は機構部の支持基台になっている。
機構ベース１６は、筐体９内部の半導体レーザ２６ａなどの発熱源の熱を熱伝達して放熱効果を高めるため、筐体９よりも熱伝導率の高い材料、即ち熱伝導性の良好な材料で形成されている。
熱伝導率の高い材料としては、銀、銅、金、アルミニウム、グラファイト等を挙げることができるが、コストの点で銅又は銅を含む合金が好ましい。
【００５０】
機構ベース１６の上面の略中央部にスピンドルモータ１８が設けられている。スピンドルモータ１８の回転軸の先端に円盤状のターンテーブル１９が固定されている。ターンテーブル１９は円盤状のディスク７を平置きで記録面を下向きにして装着するように設けられている。
光ピックアップ２４をディスク７の半径方向に移動させるキャリッジ２２が、ディスク７をチャッキングしたターンテーブル１９に対して前後に往復移動可能に設けられている。
キャリッジ２２は、機構ベース１６のディスク装置本体内の奥部側から前部側に設けられた二本の平行なガイドシャフト２０ａ、２０ｂに支持されている。
【００５１】
キャリッジ２２は、一方のガイドシャフト２０ａの外側寄りに、スクリューシャフト２１に螺合する螺合部２１ａを備えている。スクリューシャフト２１は、一方のガイドシャフト２０ａの近傍に対向して配設されている。スクリューシャフト２１はサーボモータ２１ｂの回転軸と同軸に結合している。
【００５２】
サーボモータ２１ｂの回動駆動によりスクリューシャフト２１が回動し、スクリューシャフト２１の回動と連動して、螺合部２１ａがスクリューシャフト２１に沿って移動し、キャリッジ２２がガイドシャフト２０ａ、２０ｂに案内されるようになっている。
キャリッジ２２は、ディスク７の記録面に対向して、該ディスク７の半径方向を水平に往復移動するようにしてある。
【００５３】
キャリッジ２２の上面には、ディスク７の情報を記録再生する光ピックアップ２４が備えられている。光ピックアップ２４は、対物レンズ２４ａを上下左右に動かし、光スポットを常にディスク７の所望の位置に集光するアクチュエータ２４ｂを有する。さらに、光ピックアップ２４は、レーザ光をディスク７の記録面に照射する半導体レーザ２６ａを備えるレーザステム２６、及びディスク７の記録面から反射したレーザ光を集光するフォトディテクタ（図示せず）等の光学系を備える。
【００５４】
レーザステム２６の近傍に、半導体レーザ２６ａを駆動する駆動ＬＳＩ２８が配置されている。レーザステム２６及び駆動ＬＳＩ２８は基板２９に実装されており、基板２９は放熱を高めるため伝熱シート３０を介してキャリッジ２２に取り付けられている。
キャリッジ２２は熱伝導率の高い、例えば銅製又はアルミニウム製であり、半導体レーザ２６ａなどの熱を効率よく伝達して発熱源の放熱を高めるようにしている。
【００５５】
なお、スピンドルモータ１８及びキャリッジ２２等のディスク装置の制御回路は、図示しない回路基板に実装されており、回路基板は絶縁性の伝熱シート（図示せず）を介して機構ベース１６の下面に設けられている。
【００５６】
図３に示すように、筐体９は、前部側が開放された無蓋箱状の上筐体９ａと、前部側が開放された無蓋箱状の下筐体９ｂとからなっている。上筐体９ａは蓋状に下筐体９ｂに嵌着されており、開放された両前部側は開口部１０ａを形成している。
上筐体９ａの開口部１０ａ近傍から奥部側には、トレイ１２の両側部を支持して案内する案内溝１７ａ、１７ｂが形成されている。
下筐体９ｂには、上述した機構ベース１６が密着されている。
【００５７】
機構ベース１６の下面に、下筐体９ｂの前側から後壁９ｃ側にわたって側断面視コの字状の二個のチャンネル３２ａ、３２ｂが、機構ベース１６の下面とともに筒体をなすように取り付けられている。
下筐体９ｂの後壁９ｃには二個の矩形状の開口部１１ａ、１１ｂが形成されており、開口部１１ａの周縁にチャンネル３２ａの後端部３３ａが当接し、開口部１１ｂの周縁にチャンネル３２ｂの後端部３３ｂが当接している。
【００５８】
機構ベース１６と、それぞれのチャンネル３２ａ、３２ｂとにより空冷筒３５ａ、３５ｂが形成されている。即ち、空冷筒３５ａ、３５ｂは機構ベース１６と一体的に形成されている。空冷筒３５ａ、３５ｂは、二本の直管状をなしており、それぞれ空気の流通路を形成している。
【００５９】
チャンネル３２ａ、３２ｂは筐体９よりも熱伝導率の高い材料で形成されている。材料は機構ベース１６と同質の材料でもよく、例えば銅が好ましい。
空冷筒３５ａ、３５ｂを形成する部材としては、チャンネル３２ａ、３２ｂに代えて角パイプ、半円パイプ及び半楕円パイプであってもよく、機構ベース１６の下面に接触面積が最大になるように密接させて取り付ければよい。
【００６０】
二個のチャンネル３２ａ、３２ｂの前端部３４ａ、３４ｂ、即ち空冷筒３５ａ、３５ｂの前端部には、前端部を閉塞する扉状をなす正面視矩形状の開閉板３６ａ、３６ｂが設けられている。開閉板３６ａ、３６ｂは、バイメタルで形成されており、温度変化に応じて変形し開度を変えて開閉可能になっている（図３の黒矢印を参照、詳細は後述する）。
【００６１】
二個のチャンネル３２ａ、３２ｂの後端部３３ａ、３３ｂ側は、後壁９ｃの開口部１１ａ、１１ｂを通して開放されており、開閉板３６ａ、３６ｂの開度に応じた流量の空気が、流通するようになっている。
なお、図３中、符号３７ａ、３７ｂは、開閉板３６ａ、３６ｂのそれぞれの着接部を示し、符号３８はビスを示す。
【００６２】
図４に示すように、機構ベース１６は、上筐体９ａ及びトレイ１２の前面部１３とともに、ディスク７と、スピンドルモータ１８及び光ピックアップ２４などの機構部とを密閉して隔離し、防塵する密閉空間、つまり防塵空間１５を形成している。即ち、機構ベース１６は、ディスク７と、スピンドルモータ１８などの機構部とを備える空間から、二個のチャンネル３２ａ、３２ｂと機構ベース１６の下面とが形成する空冷筒３５ａ、３５ｂと、下筐体９ｂの空間とを隔離した密閉可能な構造となるようにしている。
【００６３】
なお、下筐体９ｂにはトレイ１２を駆動するモータ、駆動ギア及び制御回路基板等（図示せず）の部材が収容されており、空冷筒３５ａ、３５ｂはこれら部材を避けて設けられている。
【００６４】
図５はディスク装置の開閉板を示す図２のＶ−Ｖ断面図、図６は開閉板の変形例を示す斜視図である。
開閉板３６（３６ａ、３６ｂ）は、側面視逆Ｌ字状をなし、横向きに突出する矩形状の着接部３７（３７ａ、３７ｂ）と、着接部３７の一端から下向きに延出された矩形状の変形部３９（３９ａ、３９ｂ）とからなっている。
着接部３７は、機構ベース１６側、つまり空冷筒３５の側部側に突出しており、ビス３８又はスポット溶接などで機構ベース１６の上面に、即ち空冷筒３５（３５ａ、３５ｂ）の端部近傍に熱接触良好に着接されている。
【００６５】
変形部３９は、空冷筒３５の端部を閉塞する板状をなしており、温度上昇に伴い外側に湾曲変形するバイメタルで形成されている。変形部３９は、熱膨張率の異なる二種の金属薄板を貼り合わせたものであり、変形部３９の背面側の金属板は正面側の金属板よりも熱膨張率の高い金属にしている。
【００６６】
開閉板３６は常温で閉じており、常温よりも温度が徐々に高くなるにつれて開き、少なくともディスク装置周辺の温度が約３５℃を超えた場合、全開するようにしている。
さらに、開閉板３６は常温近くになると閉じ、例えばディスク装置周辺の温度が約２０℃以下になると全閉するようにしている（図５の黒矢印を参照）。
【００６７】
チャンネル３２（３２ａ、３２ｂ）と機構ベース１６の下面とで形成された空冷筒３５（３５ａ、３５ｂ）には、開閉板３６の開度に応じて、空気が流入するようになっている（図５の白抜き矢印を参照）。
【００６８】
開閉板３６は、温度依存性を有する変形可能な部材からなっており、温度依存性を有して変形し、開度を変えて開閉する部材であれば、バイメタルでなくても差し支えない。
図６に示す変形例の開閉板４０では、温度依存性を有し、開閉板４０本体を開閉可能なものとして形状記憶合金からなるワイヤを利用している。即ち、開閉板４０はチャンネル３２の前端部３４を閉塞可能な矩形状で弾性変形可能な扉４２と、形状記憶合金からなる二本の逆Ｌ字状のワイヤ４４、４４とを有する。ワイヤ４４、４４のそれぞれの湾曲部４４ａから一端部４４ｂまでは、扉４２の両側部に縦向きに埋設されている。ワイヤ４４、４４のそれぞれの湾曲部４４ａ近傍から他端部４４ｃまでは金具４６、４６により機構ベース１６の上面に熱接触良好に固定されている。
【００６９】
また開閉板４０は、形状記憶合金のワイヤ４４、４４の温度依存性に基づき、常温よりも温度が徐々に高くなるにつれてチャンネル３２の前端部３４を開き、常温近くになるとチャンネル３２の前端部３４を閉じるようになっている（図６の矢印Ｅを参照）。
【００７０】
なお、変形例として形状記憶合金からなるワイヤ４４を利用したが、板状の形状記憶合金を利用して扉状に開閉するようにしてもよい。
【００７１】
次に実施の形態１に係るディスク装置８の作用を、本ディスク装置８における空冷及び防塵方法と併せて説明する。
図１及び図２を参照して、先ず、録画再生装置１の電源スイッチ５ｃをオンにした場合、排気ファン６が低速回転で作動する。排気ファン６が低速回転で作動したとき、筐体２内の空気を排気口３から熱排気する。
【００７２】
所定時間経過後、ディスク装置８の開閉板３６ｂの温度が規定値（常温）以下の場合、排気ファン６は、温度センサ６ａが検知した温度に対応して、停止又は低速回転を維持する。規定値以上の場合、排気ファン６は通常回転をする。
ディスク装置８のイジェクトボタン１３ａを押したとき、インジケータ１３ｂが点滅し、ディスク装置本体からトレイ１２が外側へ移動して、インジケータ１３ｂが消灯する。
【００７３】
トレイ１２にディスク７を平置きした後、トレイ１２の前面部１３をディスク装置本体の内側へ押したとき、インジケータ１３ｂが点滅し、トレイ１２がディスク装置本体内へ移動して、インジケータ１３ｂが消灯する。
インジケータ１３ｂが消灯したとき、排気ファン６が作動して通常の回転になり、又は低速回転から通常の回転になり、熱排気する。
【００７４】
ディスク装置本体内に移動したトレイ１２は、トレイ１２の前面部１３により上筐体９ａ及び機構ベース１６とともに、ディスク７と、スピンドルモータ１８及び光ピックアップ２４などの機構部とを密閉する密閉空間である防塵空間１５を形成する（防塵空間の形成過程）。
防塵空間１５へは外気の流入が遮断されており、塵埃が防塵空間１５の内部に侵入しない。
【００７５】
次に、図示しないリモコンスイッチで、例えば再生ボタンをオンにした場合、スピンドルモータ１８が回転し、キャリッジ２２が光ピックアップ２４をディスク７下面の所定位置に搬送する。光ピックアップ２４はレーザステム２６の半導体レーザ２６ａをディスク７の記録面に集光し、ディスク７の情報を読み取る。ディスク装置８は、光ピックアップ２４が読み取った情報を再生し、図示しないディスプレイに表示する。
【００７６】
ディスク装置本体内には、スピンドルモータ１８の回転駆動による熱、レーザステム２６の半導体レーザ２６ａのライトストラテジ制御などによる熱等が発生し（発熱過程）、これら発熱源の発熱は対流により熱伝達して温風となり、ディスク装置本体内の空気の温度が上昇する（発熱源から空気への熱伝達過程）。
【００７７】
次いで、ディスク装置本体内、換言すれば、上筐体９ａ、トレイ１２の前面部１３及び機構ベース１６で密閉された防塵空間１５の内部の熱は、空気（温風）に熱接触する機構ベース１６に対流により熱伝達する（温風から機構ベース１６への熱伝達過程）。
【００７８】
そして、機構ベース１６に熱接触するチャンネル３２ａ、３２ｂ及び開閉板３６ａ、３６ｂの着接部３７ａ、３７ｂへの熱伝導により、開閉板３６ａ、３６ｂの温度が上昇する。
防塵空間１５を形成する機構ベース１６は、熱伝導率が高いため、熱が速く伝わり、開閉板３６ａ、３６ｂの温度が速く変化する。さらにスピンドルモータ１８の設置面からの熱及び温風の熱が、機構ベース１６の高温部から低温部へ効率よく熱伝導する（機構ベース１６の熱伝導による熱伝達過程）。
【００７９】
次いで、バイメタルからなる開閉板３６ａ、３６ｂの温度が上昇したとき、二種の金属薄板の熱膨張率の相違により開閉板３６ａ、３６ｂは、閉じている状態から温度変化に対応して外側に湾曲して開度を変えて開き、空冷筒３５ａ、３５ｂに空気が流入する。開閉板３６ａ、３６ｂの温度が下降したとき、開閉板３６ａ、３６ｂは温度変化に対応して湾曲が内側に戻る。
温度変化に伴って変形する開閉板３６ａ、３６ｂの開度に対応して、空冷筒３５ａ、３５ｂに流入する空気の流量が増減する（開閉板による流量調節過程）。
【００８０】
空冷筒３５ａ、３５ｂに流入した空気は、空冷筒３５ａ、３５ｂを形成する機構ベース１６の下面及びチャンネル３２ａ、３２ｂの周面と熱接触し、強制対流により周面から熱伝達して温風となり、機構ベース１６を冷却する。空気が流通する空冷筒３５ａ、３５ｂが機構ベース１６を空冷しているとき、機構ベース１６で仕切られた防塵空間１５の温度が下がる（空冷過程）。
【００８１】
空冷筒３５ａ、３５ｂに流入した空気は、空冷筒３５ａ、３５ｂの周面からの熱伝達により温風となって、ディスク装置８の下筐体９ｂの開口部１１ａ、１１ｂを通り（図２の白抜き矢印を参照）、録画再生装置１の排気ファン６により排気口３から強制的に熱排気される（熱排気過程）。
【００８２】
このように実施形態１に係るディスク装置では、ディスク装置本体内にディスク７及び光ピックアップ２４などを外気と隔離する防塵空間１５を形成して、防塵空間１５を空冷しているので、ディスク装置本体内部を防塵かつ空冷することができる。また防塵空間１５の温度、即ち空冷筒３５ｂの開閉板３６ｂの温度に対応して排気ファン６の停止、低速回転及び通常回転を制御しているため、省電力化を実現できる。
【００８３】
したがって、実施の形態１では、ディスク７に付着可能な塵埃の侵入を防止するので、ＢＤのような微細な光スポットが使用される場合であっても、ディスク７の塵埃付着による読み書きエラーが発生することがない。また空冷により半導体レーザ２６ａの温度上昇を抑えることができ、半導体レーザ２６ａの寿命を長くすることができる。
【００８４】
なお、実施の形態１では二個の直管状の空冷筒３５ａ、３５ｂを設けた例を示したが、下筐体９ｂの前側から後壁９ｃにかけて、一個以上で逆戻りしないように形成された空冷筒を適宜の位置に設けてあればよい。
【００８５】
またディスク装置の使用環境により、開閉板３６ａ、３６ｂはなくても差し支えない。
開閉板３６ａ、３６ｂがない場合、ディスク装置を駆動するとき、録画再生装置１の排気ファン６を作動しておくのが好ましい。
温度センサ６ａは機構ベース１６の適宜の位置に取り付けてあればよい。
【００８６】
開閉板３６ａ、３６ｂがないディスク装置を駆動する場合、排気ファン６が温度センサ６ａの温度変化に応じて、例えばオン・オフ制御しているとき、排気ファン６のオン・オフに連動し、空冷筒３５ａ、３５ｂに流入する空気の流量が増減して、空冷筒３５ａ、３５ｂの周面を空冷することにより、防塵空間１５を空冷することができる。
【００８７】
（実施の形態２）
次に実施の形態２について説明する。
実施の形態２に係るディスク装置における空冷筒は、実施の形態１における空冷筒３５ａ、３５ｂの周面に網状の微細孔を形成したものであり、空冷筒以外のその他の構成は実質的に実施の形態１と同様である。
【００８８】
図７は実施の形態２に係る空冷筒を示す斜視図である。
なお、実施の形態１と実質的に同一又は対応する部材には同一符号を用いて、重複する詳細な説明及び作用効果は適宜省略して説明し、以下の他の実施の形態においても同様とする。
実施の形態２では、機構ベース５６の下面に、下筐体９ｂの前側から後壁９ｃの開口部１１ａ、１１ｂにわたって、二個のチャンネル５２ａ、５２ｂが、機構ベース５６の下面とともに筒体をなすように取り付けられている。
【００８９】
機構ベース５６と、それぞれのチャンネル５２ａ、５２ｂとにより空冷筒５５ａ、５５ｂが形成されている。空冷筒５５ａ、５５ｂは、直管状をなしており、それぞれ空気の流通路を形成している。
【００９０】
実施の形態２に係る空冷筒５５ａ、５５ｂの周面には、数百μｍ以下の微細孔５８ａ、５８ｂが、多数個形成されており、網状になっている。
実施の形態２の防塵空間１５を形成する機構ベース５６には、網状の微細孔５８ａ、５８ｂが形成されているため、防塵空間１５は略密閉空間になっている。発熱源の発熱により略密閉空間の内部は陽圧になり、塵埃が侵入することがないため、略密閉空間であっても防塵空間１５の防塵機能は維持されている。
【００９１】
微細孔５８ａ、５８ｂの最小直径は可能な限り小さいほど、例えばφ２μｍ程度の方がよいが、φ５０μｍ程度でも差し支えない。
網状の微細孔５８ａ、５８ｂは、周面に対して一様に形成されているが、ランダムに形成されていてもよい。
【００９２】
また熱源に近い空冷筒５５ａ、５５ｂの周面には、微細孔５８ａ、５８ｂの形成密度を高くし、熱源から遠い周面には、微細孔５８ａ、５８ｂの形成密度を低くしてもよい。
熱源に近い空冷筒５５ａ、５５ｂの周面に微細孔５８ａ、５８ｂの形成密度を高くした場合、負圧になっている空冷筒５５ａ、５５ｂは、熱源の温風を効果的に空冷筒５５ａ、５５ｂの内部に引き込むことができ、熱伝達効率が高まる。
【００９３】
一方の空冷筒５５ａの上流側の開口部５７ａの開口面積は、空冷筒５５ａの周面に形成された網状の微細孔５８ａの全開口面積よりも広くなるようにしている。即ち、空冷筒５５ａの開口部５７ａから流入する空気の流量の方が、網状の微細孔５８ａから流入する空気の流量よりも大きくなるようにしている。
他方の空冷筒５５ｂも同様に上流側の開口部５７ｂの開口面積は、空冷筒５５ｂの周面に形成された網状の微細孔５８ｂの全開口面積よりも広くなるようにしている。
このような場合には、空冷筒５５ａ、５５ｂの前端部から流入する空気の流量が大きいため、空冷筒５５ａ、５５ｂ内部を負圧に維持することができる。
【００９４】
ディスク装置本体内は、発熱源の発熱により内部の空気の温度が上昇して陽圧になるが、開閉板３６ａ、３６ｂを構成するバイメタルは、ディスク装置本体内が陽圧になる温度になった場合、開閉板３６ａ、３６ｂが開き始め、大気圧に戻る温度になった場合、開閉板３６ａ、３６ｂが閉じるように形成されている。
【００９５】
なお、網状の微細孔５８ａ、５８ｂを形成するときにバリができた場合、バリを取り除く必要がなく、空冷筒５５ａ、５５ｂの内側に突出しているのが好ましい。網状の微細孔５８ａ、５８ｂのバリは、空冷筒５５ａ、５５ｂの開口部５７ａ、５７ｂから流入した空気と良好に熱接触し、熱伝達効率を高める。
【００９６】
図８は実施の形態２に係るディスク装置の作用を示す概略側面図、図９はディスク装置の作用を示す概略平面図である。
なお、図８及び図９中、黒矢印は空気の流れを示し、白抜き矢印は排気ファン６による熱排気を示す。
【００９７】
このような実施の形態２に係るディスク装置では、録画再生装置１の電源スイッチ５ｃ（図１を参照）をオンにした場合、排気ファン６が低速回転で作動する。排気ファン６が低速回転で作動したとき、筐体２内の空気を排気口３から熱排気する。
所定時間経過後、ディスク装置８の開閉板３６ｂの温度が規定値（常温）以下の場合、排気ファン６は低速回転を維持し、規定値以上の場合、排気ファン６は通常回転をしており、筐体２内を負圧に維持する。
【００９８】
実施の形態２に係るディスク装置では、先ず、スピンドルモータ１８の回転駆動による熱、レーザステム２６の半導体レーザ２６ａのライトストラテジ制御などによる熱等が発生し、これら発熱源からの発熱は、発熱源から空気への熱伝達過程によりディスク装置本体内の空気の温度が上昇して温風となり、ディスク装置本体内、即ち防塵空間１５内が陽圧になる。
【００９９】
ディスク装置本体内が陽圧になる温度になった場合、開閉板３６ａ、３６ｂが開き始め、大気圧に戻る温度（常温）になった場合、開閉板３６ａ、３６ｂが閉じる。
開閉板３６ａ、３６ｂが開閉するとき、排気ファン６は、開閉板３６ａの開度に対応して、即ち温度センサ６ａの温度に対応して制御された回転数で回転する。
【０１００】
温風から機構ベース５６への熱伝達過程、機構ベース５６の熱伝導による熱伝達過程及び開閉板による流量調節過程は、実施の形態１と同様であるので、詳細な説明は省略する。
【０１０１】
温度変化に伴って変形する開閉板３６ａ、３６ｂの開度に対応して流入した空気の動圧により、空冷筒５５ａ、５５ｂ内は防塵空間１５内よりも低い圧力（負圧）になり、防塵空間１５内の温風が、空冷筒５５ａ、５５ｂに引き込まれ、熱伝達の効率が高くなる。
防塵空間１５内が陽圧であるとき、網状の微細孔５８ａ、５８ｂが微小であるため、負圧になっている空冷筒５５ａ、５５ｂから防塵空間１５内へ塵埃が侵入することはなく、防塵空間１５は略密閉空間であっても防塵機能を維持する。
【０１０２】
さらにチャンネル５２ａ、５２ｂの網状の微細孔５８ａ、５８ｂから空気が流入して、チャンネル５２ａ、５２ｂを空冷する。
【０１０３】
空冷筒５５ａ、５５ｂに流入した空気は、機構ベース５６及びチャンネル５２ａ、５２ｂで形成された空冷筒５５ａ、５５ｂの周面を空冷することにより、機構ベース５６で仕切られた防塵空間１５内部を空冷する。
空冷筒５５ａ、５５ｂの周面を空冷した空気は、ディスク装置８の下筐体９ｂの開口部１１ａ、１１ｂを通り、録画再生装置１の排気ファン６により排気口３から強制的に熱排気される。
【０１０４】
このように実施の形態２に係るディスク装置では、ディスク装置本体内にディスク７及び光ピックアップ２４などを外気と隔離する防塵空間１５を形成し、防塵空間１５を数百μｍ以下の網状の微細孔５８ａ、５８ｂを介して、陽圧になる防塵空間１５内の温風を空冷筒５５ａ、５５ｂに引き込むようにして空冷しているので、ディスク装置本体内部を効率よく空冷することができる。また防塵空間１５内が陽圧であるため、網状の微細孔５８ａ、５８ｂから塵埃が侵入することがなく、防塵することができる。
【０１０５】
なお、実施の形態２の空冷筒５５ａ、５５ｂの周面に網状の微細孔５８ａ、５８ｂを形成したが、チャンネル５２ａ、５２ｂには網状の微細孔５８ａ、５８ｂを形成していなくても差し支えない。即ち、空冷筒５５ａ、５５ｂの網状の微細孔５８ａ、５８ｂは、空冷筒５５ａ、５５ｂを防塵空間に連通させるように形成されており、機構ベース５６の下面側だけに形成してあってもよい。
また網状の微細孔５８ａ、５８ｂは、チャンネル５２ａ、５２ｂの周面にのみ形成し、機構ベース５６の下面側に形成していなくても差し支えない。
【０１０６】
（実施の形態３）
次に実施の形態３について説明する。
実施の形態３に係るディスク装置における空冷筒は、発熱源近傍に向けて通路を細くして流速を高めるようにしたものであり、実施の形態１における空冷筒３５ａ、３５ｂの形態が異なるのみで、空冷筒以外のその他の構成は実質的に実施の形態１と同様である。
【０１０７】
図１０は実施の形態３に係るディスク装置の内部を示す透視平面図、図１１は空冷用の空冷筒を備えるディスク装置を示す斜視図である。
符号６０ａは、スピンドルモータ１８の回転駆動による熱により温度が比較的高くなる機構ベース１６上のＡ領域を示し、符号６０ｂは、光ピックアップ２４の可動域に対応してレーザステム２６の半導体レーザ２６ａ及び基板２９などの熱により温度が比較的高くなる機構ベース１６上のＢ領域を示す。
【０１０８】
実施の形態３では、機構ベース１６の下面に、下筐体９ｂの前側から後壁９ｃの開口部１１ａ、１１ｂにわたって、機構ベース１６上のＡ領域６０ａと、Ｂ領域６０ｂとに、それぞれ向かって細くなるチャンネル６２ａ、６２ｂが、機構ベース１６の下面とともに筒体をなすようにそれぞれ取り付けられている。即ち、機構ベース１６と、それぞれのチャンネル６２ａ、６２ｂとにより空冷筒６５ａ、６５ｂが形成されており、Ａ領域６０ａ、Ｂ領域６０ｂ近傍で通路を端部よりも細くしている。空冷筒６５ａ、６５ｂは、直管状をなしており、それぞれ空気の流通路を形成している。
【０１０９】
このような実施の形態３に係るディスク装置における空冷過程では、温度変化に伴って変形する開閉板３６ａ、３６ｂの開度に対応し、空気の流量が増減して空冷筒６５ａ、６５ｂに流入する。比較的温度の高いＡ領域６０ａ及びＢ領域６０ｂに向かって、空冷筒６５ａ、６５ｂの流路が狭くなっていくため、流入した空気の流速が速くなり、狭くなっている空冷筒６５ａ、６５ｂの周面を効果的に空冷する。比較的温度の高いＡ領域６０ａ及びＢ領域６０ｂを効果的に空冷するため、防塵空間１５の空冷速度が速くなる。
【０１１０】
実施の形態３では、空冷過程を除き、実施の形態１における、発熱過程、温風から機構ベース１６への熱伝達過程、機構ベース１６の熱伝導による熱伝達過程、開閉板による流量調節過程、及び排熱過程と同様であるので、詳細な説明を省略する。
【０１１１】
このように実施の形態３に係るディスク装置では、ディスク装置本体内にディスク７及び光ピックアップ２４などを外気と隔離する防塵空間１５を形成し、防塵空間１５内の比較的温度の高い領域を、空冷筒６５ａ、６５ｂの流速を高めて効果的に空冷しているので、ディスク装置本体内部を効率よく空冷することができる。
【０１１２】
なお、実施の形態３の空冷筒６５ａ、６５ｂの周面には、実施の形態２のような網状の微細孔を形成するようにしてもよい。また網状の微細孔５８ａ、５８ｂは、機構ベース１６の下面側だけに形成してあってもよい。
【０１１３】
（実施の形態４）
次に実施の形態４について説明する。
実施の形態１から３までの空冷筒３５（３５ａ、３５ｂ）、５５ａ、５５ｂ、６５ａ、６５ｂは、下筐体９ｂの前側から後壁９ｃの開口部１１ａ、１１ｂにわたって設けられていたが、実施の形態４では下筐体９ｂの前側から側壁側にわたってＬ字状に設けられており、空冷筒以外のその他の構成は実質的に実施の形態１と同様である。
【０１１４】
図１２は実施の形態４における空冷用の空冷筒を備えるディスク装置を示す斜視図である。
実施の形態４では、機構ベース１６の下面に、下筐体９ｂの前側から後壁９ｃ側へ延びており、機構ベース１６上のＡ領域６０ａに向かうチャンネル７２ａが、機構ベース１６の下面とともに筒体をなすように取り付けられている。機構ベース１６の下面にチャンネル７２ａと直交する方向に連結しており、機構ベース１６上のＢ領域６０ｂに向かうチャンネル７２ｂが、下筐体９ｂの側壁９ｄまでにわたって、機構ベース１６の下面とともに筒体をなすように取り付けられている。
【０１１５】
チャンネル７２ａ及びチャンネル７２ｂは連通しており、９０度に屈曲したチャンネル７２を構成している。
下筐体９ｂの側壁９ｄには開口部１１ｃが形成されており、開口部１１ｃの周縁にチャンネル７２の後端部７３が当接している。チャンネル７２の前端部７４には、扉状をなす正面視矩形状の開閉板３６が設けられている。
【０１１６】
機構ベース１６の下面とチャンネル７２とにより空冷筒７５が形成されている。空冷筒７５は、９０度に屈曲した管状をなしており、空気の流通路を形成している。チャンネル７２は筐体９よりも熱伝導率の高い材料で形成されている。材料は機構ベース１６と同質の材料でよく、例えば銅が好ましい。
【０１１７】
このような実施の形態４に係るディスク装置では、空冷過程を除き、実施の形態１における、発熱過程、温風から機構ベース１６への熱伝達過程、機構ベース１６の熱伝導による熱伝達過程、開閉板による流量調節過程、及び排熱過程と同様であるので、詳細な説明を省略する。
実施の形態４における空冷過程では、温度変化に伴って変形する開閉板３６の開度に対応し、流量が増減して空冷筒７５に流入した空気は、比較的温度の高いＡ領域６０ａ及びＢ領域６０ｂを効果的に空冷するため、防塵空間１５の空冷速度が速くなる。
【０１１８】
このように実施の形態４に係るディスク装置では、ディスク装置本体内にディスク７及び光ピックアップ２４など（図１０を参照）を外気と隔離する防塵空間１５を形成し、防塵空間１５内の比較的温度の高い領域を効果的に空冷しているので、ディスク装置本体内部を効率よく空冷することができる。
【０１１９】
（実施の形態５）
次に実施の形態５について説明する。
実施の形態１から４では開閉板を空冷筒の前端部だけに設けていたが、実施の形態５では前端部及び後端部の両端部に設けたものであり、その他の構成は実質的に実施の形態１と同様である。
【０１２０】
図１３は実施の形態５に係るディスク装置の空冷筒を示す部分断面図であり、図１３（ａ）は空冷筒の両端部の開閉板が閉じた状態を示す部分断面図、図１３（ｂ）は両端部の開閉板がわずかに開いた状態を示す部分断面図、図１３（ｃ）は前端部の開閉板より後端部の開閉板が広く開いた状態を示す部分断面図である。
チャンネル３２の前端部３４に設けられた開閉板３６と、後端部３３に設けられた開閉板７６とは、同一の開閉板であり、同寸法で同種のバイメタルからなっている。即ち、開閉板３６、７６は同様の温度変化に対して同様に空冷筒３５の外側に湾曲して、開閉するようになっている。開閉板３６、７６のそれぞれの着接部３７、７７は、機構ベース１６の上面に熱接触良好にビス３８で固定されている。
なお、図１３中、符号６は録画再生装置１（図１を参照）の排気ファンを示す。
【０１２１】
このような実施の形態５に係る空冷筒３５では、先ず、ディスク装置本体内の発熱源からの発熱が機構ベース１６の熱伝導により、開閉板３６、７６の温度が、略同じように上昇し、閉じている状態から温度変化に対応して外側に湾曲して開く（図１３（ｂ）を参照）。
【０１２２】
次に、温度変化に伴って変形する開閉板３６、７６の開度に対応し、流量が増減して空冷筒３５に流入した空気は、空冷筒３５の周面を空冷し、排気ファン６により熱排気される。
さらに、空冷筒３５に流入した空気は、空冷筒３５の周面の熱伝達により温風となり、後端部３３側の開閉板７６に熱伝達する。
【０１２３】
次いで、空冷筒３５から流出する温風により開閉板７６の温度は、前端部３４側の開閉板３６よりも高くなり、前端部３４の開閉板３６の開度よりも後端部３３の開閉板７６の開度が大きくなる（図１３（ｃ）を参照）。
そして、空冷筒３５から流出する温風の流量が増大して、前端部３４から流入する空気の流量が増大し、空冷筒３５の周面を空冷する効率が高くなる。
【０１２４】
このように実施の形態５に係るディスク装置では、空冷筒３５の周面を空冷した空気の熱伝達により、空冷筒３５の後端部の開閉板７６の開度を、空冷筒３５の前端部の開閉板３６の開度よりも大きくして、空冷筒３５の空気の流量を増大させることができ、空冷筒３５の周面を効果的に空冷することにより、防塵空間１５を効果的に空冷することができる。
【０１２５】
（実施の形態６）
次に実施の形態６について説明する。
実施の形態１から５の空冷筒は、機構ベース及びチャンネルにより角筒状をなしているが、空冷筒を形成する部材として、チャンネルに代えてパイプなどでも差し支えない。
実施の形態６では、機構ベースにパイプを接触させて空冷筒にしており、このパイプ内に放熱フィンを設けたものである。空冷筒以外のその他の構成は実質的に実施の形態１と同様である。
【０１２６】
図１４は実施の形態６に係るディスク装置の空冷筒をなす四角パイプを示す部分斜視図、図１５は空冷筒をなす三角パイプを示す斜視図、図１６は空冷筒をなす半円パイプを示す斜視図、図１７は空冷筒をなす半楕円パイプを示す斜視図である。
四角パイプ８０及び三角パイプ８１には、それぞれ機構ベース１６側の天井面に、複数の矩形板状の放熱フィン９０、９１が、空気の流路に沿って立設されている。三角パイプ８１の放熱フィン９１は、三角パイプ８１の頂角に対向する放熱フィン９１を他の放熱フィン９１より高く形成して放熱面積を広くしている。
【０１２７】
また半円パイプ８２及び半楕円パイプ８３には、それぞれ機構ベース１６側の天井面に、複数の矩形板状の放熱フィン９２、９３が、空気の流路に沿って立設されている。半円パイプ８２の放熱フィン９２は、周面から天井面までの高さに応じてフィンの高さを異なるように形成して、放熱面積が広くなるようにしている。
放熱面積が広くなった場合、放熱効果が大きくなる。
【０１２８】
このような実施の形態６では、放熱フィン９０、９１、９２、９３の熱伝達により、空冷筒９５を流れる空気の熱伝達効率が高くなり、ディスク装置本体内の防塵空間１５を効果的に空冷することができる。
【０１２９】
（実施の形態７）
次に実施の形態７について説明する。
実施の形態７では、空冷筒を形成するチャンネルに代えて円形パイプを使用したものであり、機構ベース及び空冷筒以外のその他の構成は実質的に実施の形態１と同様である。
図１８は実施の形態７に係るディスク装置の空冷筒をなす円形パイプを示す部分斜視図である。
実施の形態７では二個の円形パイプ８４、８４を機構ベース８６の下面に取り付けて、防塵空間１５を空冷する空冷筒８５にしている。円形パイプ８４の側面に対応して、機構ベース８６に半円筒状の凹部８７が上向きに形成されており、円形パイプ８４は機構ベース８６の凹部８７の下面側から接触面積が最大になるように取り付けられている。
実施の形態７におけるその他の構成及び作用効果は、実施の形態１と同様であるので、詳細な説明を省略する。
【０１３０】
なお、実施の形態１から７の開閉板３６（３６ａ、３６ｂ）、４０、７６は、空冷筒３５（３５ａ、３５ｂ）、５５ａ、５５ｂ、６５ａ、６５ｂ、７５、８５、９５の外側に湾曲するようにしていたが、使用環境におけるクリアランスを考慮して内側に湾曲するようにしていてもよい。
また実施の形態１、２、４から７の空冷筒３５（３５ａ、３５ｂ）、６５ａ、６５ｂ、７５、８５、９５は、実施の形態３のような網状の微細孔５８ａ、５８ｂが形成されていてもよい。即ち、微細孔５８ａ、５８ｂは、機構ベース１６、５６、８６及び空冷筒３５（３５ａ、３５ｂ）、５５ａ、５５ｂ、６５ａ、６５ｂ、７５、８５、９５のいずれか、又は両方に、空冷筒を防塵空間に連通させるように形成されていれば好ましく、実施の形態３で説明したように適宜の組み合わせが可能である。
【０１３１】
また空冷筒３５（３５ａ、３５ｂ）、５５ａ、５５ｂ、６５ａ、６５ｂ、７５、８５、９５は、下筐体９ｂの前側から後壁９ｃ又は側壁９ｄにわたって設けられているが、録画再生装置１の排気ファン６との位置関係により、例えば前後方向でなく、縦横方向に適宜設けるようにしてもよい。また空冷筒は、直管状だけでなく、直管状の空冷筒とＬ字管状の空冷筒とを適宜組み合わせて設けてもよく、またそれぞれを連通させて設けるようにしてもよい。空冷筒の形状及び個数に制限はない。
【図面の簡単な説明】
【０１３２】
【図１】本発明の実施の形態１に係るディスク装置を収納した録画再生装置を示す斜視図である。
【図２】実施の形態１に係るディスク装置の内部を示す透視図である。
【図３】ディスク装置の筐体構造を示す斜視図である。
【図４】ディスク装置内部を示す図２のＩＶ−ＩＶ断面図である。
【図５】ディスク装置の開閉板を示す図２のＶ−Ｖ断面図である。
【図６】開閉板の変形例を示す斜視図である。
【図７】実施の形態２に係る空冷筒を示す斜視図である。
【図８】実施の形態２に係るディスク装置の作用を示す概略側面図である。
【図９】ディスク装置の作用を示す概略平面図である。
【図１０】実施の形態３に係るディスク装置の内部を示す透視平面図である。
【図１１】空冷用の空冷筒を備えるディスク装置を示す斜視図である。
【図１２】実施の形態４における空冷用の空冷筒を備えるディスク装置を示す斜視図である。
【図１３】実施の形態５に係るディスク装置の空冷筒を示す部分断面図である。
【図１４】実施の形態６に係るディスク装置の空冷筒をなす四角パイプを示す部分斜視図である。
【図１５】空冷筒をなす三角パイプを示す斜視図である。
【図１６】空冷筒をなす半円パイプを示す斜視図である。
【図１７】空冷筒をなす半楕円パイプを示す斜視図である。
【図１８】実施の形態７に係るディスク装置の空冷筒をなす円形パイプを示す部分斜視図である。
【符号の説明】
【０１３３】
１  録画再生装置
２  筐体（ケース）
６  排気ファン
７  ディスク
８  ディスク装置
９  筐体
１０ａ  開口部
１２  トレイ
１３  前面部
１５  防塵空間
１６、５６、８６  機構ベース（仕切体）
２４  光ピックアップ
３５（３５ａ、３５ｂ）、５５ａ、５５ｂ、６５ａ、６５ｂ、７５、８５、９５  空冷筒
３６（３６ａ、３６ｂ）、４０、７６  開閉板（開度可変部）
３７（３７ａ、３７ｂ）、７７  着接部
３９（３９ａ、３９ｂ）  変形部
５８ａ、５８ｂ  微細孔
９０、９１、９２、９３  放熱フィン
【図１】
2010055662.tif 000003
【図２】
2010055662.tif 000004
【図３】
2010055662.tif 000005
【図４】
2010055662.tif 000006
【図５】
2010055662.tif 000007
【図６】
2010055662.tif 000008
【図７】
2010055662.tif 000009
【図８】
2010055662.tif 000010
【図９】
2010055662.tif 000011
【図１０】
2010055662.tif 000012
【図１１】
2010055662.tif 000013
【図１２】
2010055662.tif 000014
【図１３】
2010055662.tif 000015
【図１４】
2010055662.tif 000016
【図１５】
2010055662.tif 000017
【図１６】
2010055662.tif 000018
【図１７】
2010055662.tif 000019
【図１８】
2010055662.tif 000020